(57)【要約】【課題】ノイズの発生を防止し、誤動作の発生を低減可能な半導体集積回路装置の提供。【解決手段】チャージポンプの出力端子に流れる電流をセンス抵抗と電流検出回路により検出し、チャージポンプ回路の入力端子に出力電流のおよそ２倍の入力電流が常に流れるようにする電流制限回路を設けることで、電流の一定化を行い、ピーク電流を抑制してノイズの発生を防止し、チャージポンプと同じ入力電源に接続されている他の回路が誤動作しないようにする。【選択図】    図１
2005033865.tif 000002
【特許請求の範囲】
【請求項１】
ｎ倍昇圧チャージポンプ出力端子の負荷電流検出用センス抵抗と、
前記センス抵抗に流れる電流を検出する電流検出回路と、
前記電流検出回路により検出された電流値に応じて前記ｎ倍昇圧チャージポンプ回路の入力端子に流れる電流を前記センス抵抗に流れる電流のｎ倍の電流が流れるように電流値を調整する電流制限回路と、を有し、
前記ｎ倍昇圧チャージポンプ回路の入力に流れる電流を出力に流れる電流値のｎ倍に保つことを特徴とする半導体集積回路装置。
【請求項２】
２倍昇圧チャージポンプ出力端子の負荷電流検出用センス抵抗と、
前記センス抵抗に流れる電流を検出する電流検出回路と、
前記電流検出回路により検出された電流値に応じて前記２倍昇圧チャージポンプ回路の入力端子に流れる電流を前記センス抵抗に流れる電流の２倍の電流が流れるように電流値を調整する電流制限回路と、を有し、
前記２倍昇圧チャージポンプ回路の入力に流れる電流を出力に流れる電流値の２倍に保つことを特徴とする半導体集積回路装置。
【請求項３】
前記電流検出回路は、コンパレータ回路とＰ型ＭＯＳトランジスタと抵抗素子とを有し、
前記電流制限回路は、コンパレータ回路とＰ型ＭＯＳトランジスタと抵抗素子及び入力電流センス抵抗ことを特徴とする請求項１または２に記載の電流制限機構を有する半導体集積回路装置。
【発明の詳細な説明】
【０００１】
【発明の属する技術分野】
この発明は、半導体集積回路装置においてチャージポンプ回路のノイズを制限するチャージポンプ回路ノイズ低減用電流制限機構に関するものである。
【０００２】
【従来の技術】
図２に示す従来のチャージポンプ回路において、入力電源からポンプ容量及び出力容量にたいして直接電流が流れていたため、瞬間的に大きなピーク電流が流れてしまい入力電源の電圧を変動させノイズの発生する要因となっていた（例えば、特許文献１参照。）。
【０００３】
【特許文献１】
米国特許第５５５０７２８号明細書
【０００４】
【発明が解決しようとする課題】
しかし、従来のチャージポンプ回路では入力電源からポンプ容量及び出力容量にたいして直接電流が流れていたため、容量に充電する際に、瞬間的に大きなピーク電流が流れてしまい入力電源の電圧を変動させノイズが発生し、チャージポンプと同じ入力電源に接続されている他の回路が誤動作する可能性があった。
【０００５】
この発明は、チャージポンプ回路において入力電源からポンプ容量及び出力容量に流れるピーク電流を抑制し、ノイズの発生を防止することが課題となる。
【０００６】
【課題を解決するための手段】
上記課題を解決するために、チャージポンプの出力端子に流れる電流をセンス抵抗と電流検出回路により検出し、チャージポンプ回路の入力端子に出力電流のおよそ２倍の入力電流が常に流れるようにする電流制限回路を設けることで、電流の一定化を行いピーク電流を抑制してノイズの発生を防止し、チャージポンプと同じ入力電源に接続されている他の回路が誤動作しないようにした。
【０００７】
本願発明にかかる半導体集積回路装置は、ｎ倍昇圧チャージポンプ出力端子の負荷電流検出用センス抵抗と、センス抵抗に流れる電流を検出する電流検出回路と、電流検出回路により検出された電流値に応じてｎ倍昇圧チャージポンプ回路の入力端子に流れる電流を前記センス抵抗に流れる電流のｎ倍の電流が流れるように電流値を調整する電流制限回路と、を有する。そして、ｎ倍昇圧チャージポンプ回路の入力に流れる電流を出力に流れる電流値のｎ倍に保つことを特徴とする。
【０００８】
【発明の実施の形態】
本願発明にかかる半導体集積回路装置を用いることにより、入力電源から流れる電流値を出力負荷電流のおよそ２倍となるように一定化し、入力電源の電圧を安定させることで入力電源に発生するノイズを抑制してチャージポンプと同じ入力電源に接続されている他の回路が誤動作しないようにする。
【０００９】
【実施例】
以下にこの発明の実施例を図１に基づいて説明する。図１は、本発明をチャージポンプ回路ノイズ低減用電流制限機構図である。本実施例は、２倍昇圧チャージポンプ回路の場合について説明する。
【００１０】
まず、チャージポンプ回路ノイズ低減用電流制限機構を図１に基づいて説明する。１０１の構成の２倍昇圧チャージポンプ回路と１０２の出力電流センス抵抗、１０３のセンス抵抗に流れる電流を検出する電流検出回路そして１０４の入力電流を制限する電流制限回路の構成からなる。
【００１１】
上記の様に構成されたチャージポンプ回路ノイズ低減用電流制限機構を用いることで、  チャージポンプ回路の入力端子に流れる電流を出力電流に応じて調整することができる。２倍昇圧チャージポンプは原理的に出力電流の２倍の入力電流を流すことにより、出力電圧を入力電圧の２倍に昇圧することができる。このことから、出力電流が変化したときにでも常に出力電流の２倍の電流を入力電流として供給することが可能であれば、２倍昇圧は可能である。そこで、１０２の出力電流センス抵抗で出力端子に流れる電流をセンスし、その両端の電圧を１０３の電流検出回路で比較することである電位差を検出し、その電位差に応じた電流を入力端子に供給するための１０４の電流制限回路により、出力電流の２倍の電流が入力電流に流れるように調整を行う。これにより２倍昇圧チャージポンプ回路は出力電流の値に関係なく常に出力電流の２倍の入力電流を供給され昇圧を行うことで、入力電流を一定値に保持してノイズの発生を抑制する。
【００１２】
図３は、本発明を含むチャージポンプ回路ノイズ低減用電流制限機構図である。次に、チャージポンプ回路ノイズ低減用電流制限機構を図３に基づいて説明する。図１の構成機構の１０３の電流検出回路が、３０１の１０２センス抵抗の両端の電圧を比較するコンパレータ、３０３のＰ型ＭＯＳトランジスタと３０２の抵抗素子とにより増幅回路を構成し、１０４の電流制限回路が、３０６の３０５センス抵抗の両端の電圧を比較するコンパレータ、３０７のＰ型ＭＯＳトランジスタと３０４の抵抗素子とにより増幅回路を構成する。
【００１３】
上記の様に構成されたチャージポンプ回路ノイズ低減用電流制限機構を用いることで、チャージポンプ回路の入力端子に流れる電流を出力電流に応じて調整することができる。１０３の電流検出回路が３０１コンパレータ、３０３のＰ型ＭＯＳトランジスタと３０２の抵抗素子により増幅回路の構成をとり、１０２センス抵抗の両端の電圧と同じ電圧が抵抗素子３０２の両端の電圧となる。また、１０４電流制限回路が３０６コンパレータ、３０７のＰ型ＭＯＳトランジスタと３０４の抵抗素子とにより増幅回路の構成をとり、３０５センス抵抗の両端の電圧と同じ電圧が抵抗素子３０４の両端の電圧となる。この時に３０５センス抵抗の値を１０２センス抵抗の１／２にすることにより、抵抗素子３０４と３０２の抵抗値が同じであれば３０５センス抵抗には１０２センス抵抗の２倍の電流が流れる。この回路構成により２倍昇圧チャージポンプ回路は出力電流の値に応じて出力電流のおよそ２倍の入力電流を供給され昇圧を行うことで、入力電流を一定値に保持してノイズの発生を抑制する。
【００１４】
【発明の効果】
本発明は、以上説明したように、チャージポンプの出力端子に流れる電流をセンス抵抗と電流検出回路により検出し、チャージポンプ回路の入力端子に出力電流のおよそ２倍の入力電流が常に流れるようにする電流制限回路を設けることで、電流の一定化を行いピーク電流を抑制してノイズの発生を防止し、チャージポンプと同じ入力電源に接続されている他の回路が誤動作しないようにした。
【図面の簡単な説明】
【図１】本発明のチャージポンプ回路ノイズ低減用電流制限機構図である。
【図２】従来のチャージポンプ回路図である。
【図３】本発明のチャージポンプ回路ノイズ低減用電流制限機構図である。
【符号の説明】
１０１  ２倍昇圧チャージポンプ回路
１０２  出力電流センス抵抗
１０３  電流検出回路
１０４  電流制限回路
１０５  入力電源
１０６  出力端子
１０７  ポンプ容量
１０８  出力容量
３０１、３０６  コンパレータ
３０２、３０４  抵抗素子
３０３、３０７  Ｐ型ＭＯＳトランジスタ
３０５  入力電流センス抵抗
【図１】
2005033865.tif 000003
【図２】
2005033865.tif 000004
【図３】
2005033865.tif 000005